(57)【要約】  動作監視装置（１０）は、通信制御部（３２Ａ）と、再起動制御部（３２Ｂ）と、出力制御部（３２Ｃ）と、を備える。通信制御部（３２Ａ）は、有線接続された撮影装置（１２）に対して、通信確認信号を送信する。再起動制御部（３２Ｂ）は、通信確認信号に対する撮影装置（１２）からの応答信号が異常を示す場合、撮影装置（１２）を再起動させる。出力制御部（３２Ｃ）は、再起動の後の応答信号に関する応答結果情報を出力する。
2019230048.tif 000002
【特許請求の範囲】
【請求項１】
有線接続された対象機器に対して、通信確認信号を送信する通信制御部と、
前記通信確認信号に対する前記対象機器からの応答信号が異常を示す場合、前記対象機器を再起動させる再起動制御部と、
前記再起動の後の前記応答信号に関する応答結果情報を出力する出力制御部と、
を備える動作監視装置。
【請求項２】
前記再起動制御部は、
前記通信確認信号に対する前記応答信号を所定時間以上未受信である場合、前記応答信号が異常を示すと判断し、前記対象機器を再起動させる、
請求項１に記載の動作監視装置。
【請求項３】
前記再起動制御部は、
前記対象機器への電力供給を遮断した後に電力供給を再開する電力制御を行うことによって、前記対象機器を再起動させる、
請求項１に記載の動作監視装置。
【請求項４】
前記出力制御部は、
前記再起動の後の前記応答信号が異常を示す第１応答結果情報、または、前記再起動の後の前記応答信号が正常を示す第２応答結果情報を、前記応答結果情報として出力する、
請求項１に記載の動作監視装置。
【請求項５】
前記出力制御部は、
前記応答結果情報を、ネットワークを介して接続された外部装置へ出力する、
請求項１に記載の動作監視装置。
【請求項６】
前記対象機器は、撮影装置である、
請求項１に記載の動作監視装置。
【請求項７】
有線接続された対象機器に対して、通信確認信号を送信するステップと、
前記通信確認信号に対する前記対象機器からの応答信号が異常を示す場合、前記対象機器を再起動させるステップと、
前記再起動の後の前記応答信号に関する応答結果情報を出力するステップと、
を含む動作監視方法。
【請求項８】
有線接続された対象機器に対して、通信確認信号を送信するステップと、
前記通信確認信号に対する前記対象機器からの応答信号が異常を示す場合、前記対象機器を再起動させるステップと、
前記再起動の後の前記応答信号に関する応答結果情報を出力するステップと、
をコンピュータに実行させるための動作監視プログラム。
【請求項９】
動作監視装置と、ネットワークを介して前記動作監視装置に接続された外部装置と、を備えた動作監視システムであって、
前記動作監視装置は、
有線接続された対象機器に対して、通信確認信号を送信する通信制御部と、
前記通信確認信号に対する前記対象機器からの応答信号が異常を示す場合、前記対象機器を再起動させる再起動制御部と、
前記再起動の後の前記応答信号に関する応答結果情報を外部装置へ出力する出力制御部と、
を備える動作監視システム。
【発明の詳細な説明】
【技術分野】
【０００１】
本発明の実施の形態は、動作監視装置、動作監視方法、動作監視プログラム、および動作監視システムに関する。
【背景技術】
【０００２】
所定範囲を撮影した撮影画像を記録する監視カメラが知られている。また、監視カメラで取得した撮影画像を、ネットワークを介してインターネット上のファイルサーバに転送するシステムが開示されている。
【先行技術文献】
【特許文献】
【０００３】
【特許文献１】特開２０１１−２２９０３６号公報
【特許文献２】特許第３９８４１２５号公報
【発明の概要】
【発明が解決しようとする課題】
【０００４】
従来では、監視カメラなどの対象機器が故障した場合、故障が容易に確認されず、対象機器が故障したまま放置される場合があった。また、従来では、ユーザが対象機器を１つ１つ直接検査することで、対象機器の故障の有無を確認し、復旧させる必要があった。このため、従来では、対象機器の故障に容易に対応することが困難であった。【０００５】
本発明が解決しようとする課題は、対象機器の故障に容易に対応可能な情報を提供することができる、動作監視装置、動作監視方法、動作監視プログラム、および動作監視システムを提供することである。
【課題を解決するための手段】
【０００６】
実施の形態の動作監視装置は、通信制御部と、再起動制御部と、出力制御部と、を備える。通信制御部は、有線接続された対象機器に対して、通信確認信号を送信する。再起動制御部は、前記通信確認信号に対する前記対象機器からの応答信号が異常を示す場合、前記対象機器を再起動させる。出力制御部は、前記再起動の後の前記応答状況に関する応答結果情報を出力する。
【図面の簡単な説明】
【０００７】
【図１】図１は、動作監視システムの模式図である。
【図２】図２は、動作監視装置のハードウェア構成図である。
【図３】図３は、動作監視装置および撮影装置の機能ブロック図である。
【図４】図４は、動作監視処理の手順のフローチャートである。
【図５】図５は、動作監視システムの模式図である。
【発明を実施するための形態】
【０００８】
以下に添付図面を参照して、動作監視装置、動作監視方法、動作監視プログラム、および動作監視システムの一の実施の形態を詳細に説明する。
【０００９】
図１は、本実施の形態の動作監視システム１の一例を示す模式図である。動作監視システム１は、動作監視装置１０と、撮影装置１２と、サーバ装置１４と、を備える。
【００１０】
動作監視装置１０と撮影装置１２は、接続ケーブル１８によって有線接続されている。動作監視装置１０とサーバ装置１４は、ネットワーク１６を介して有線または無線により接続されている。
【００１１】
撮影装置１２は、対象機器の一例である。対象機器は、動作監視装置１０による動作監視対象の機器である。対象機器は、例えば、特定領域を撮影することで撮影画像を得る撮影装置１２や、特定領域の環境情報を検出する検出装置などである。環境情報は、例えば、大気の成分、気温、水温、紫外線などの光量、音量、などであるが、これらに限定されない。
【００１２】
本実施の形態では、対象機器が、撮影装置１２である場合を一例として説明する。撮影装置１２は、特定の領域を撮影し、撮影画像を取得する。例えば、撮影装置１２は、監視カメラとして用いられる。
【００１３】
本実施の形態では、撮影装置１２は、電柱２０に設置された支持部材２２によって支持されている。このため、撮影装置１２は、電柱２０等の空中から地面を撮影可能な位置に配置されている。なお、撮影装置１２の設置場所は、限定されない。例えば、撮影装置１２は、建物の外壁、建物の天井、などに設置されていてもよい。
【００１４】
動作監視装置１０は、撮影装置１２の動作を監視する装置である。言い換えると、動作監視装置１０は、撮影装置１２が動作しているか否かを監視する装置である。撮影装置１２が動作している、とは、撮影装置１２が故障せずに予め定めた処理および動作を実行中または実行可能な状態であることを示す。撮影装置１２が動作していない、とは、撮影装置１２が故障中であり、予め定めた処理および動作を実行不可能な状態であることを示す。
【００１５】
上述したように、動作監視装置１０と撮影装置１２は、有線の接続ケーブル１８を介して直接接続されている。本実施の形態では、動作監視装置１０と撮影装置１２は、１対１の関係で有線接続されている。このため、本実施の形態では、１台の動作監視装置１０が、対応する１台の撮影装置１２の動作を監視する。
【００１６】
なお、図１には、一例として、動作監視システム１が、１対の動作監視装置１０および撮影装置１２を備えた形態を示した。しかし、動作監視システム１は、動作監視装置１０および撮影装置１２の対を、複数備えた構成であってもよい。
【００１７】
サーバ装置１４は、外部装置の一例である。サーバ装置１４は、ネットワーク１６を介して動作監視装置１０と通信する。本実施の形態では、サーバ装置１４は、動作監視装置１０から応答結果情報（詳細後述）を受信し、応答結果情報を管理する。
【００１８】
図２は、動作監視装置１０のハードウェア構成図の一例である。
【００１９】
動作監視装置１０は、ＣＰＵ（Ｃｅｎｔｒａｌ  Ｐｒｏｃｅｓｓｉｎｇ  Ｕｎｉｔ）１０Ａ、ＲＯＭ（Ｒｅａｄ  Ｏｎｌｙ  Ｍｅｍｏｒｙ）１０Ｂ、ＲＡＭ（Ｒａｎｄｏｍ  Ａｃｃｅｓｓ  Ｍｅｍｏｒｙ）１０Ｃ、およびＩ／Ｆ部１０Ｄ等がバス１０Ｅにより相互に接続されており、通常のコンピュータを利用したハードウェア構成となっている。
【００２０】
ＣＰＵ１０Ａは、本実施の形態の動作監視装置１０を制御する演算装置である。ＲＯＭ１０Ｂは、ＣＰＵ１０Ａによる各種処理を実現するプログラム等を記憶する。ＲＡＭ１０Ｃは、ＣＰＵ１０Ａによる各種処理に必要なデータを記憶する。Ｉ／Ｆ部１０Ｄは、外部装置などに接続するためのインターフェースである。
【００２１】
本実施の形態の動作監視装置１０で実行される動作監視処理を実行するためのプログラムは、ＲＯＭ１０Ｂ等に予め組み込んで提供される。なお、本実施の形態の動作監視装置１０で実行されるプログラムは、動作監視装置１０にインストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供するように構成してもよい。
【００２２】
次に、動作監視装置１０および撮影装置１２の機能的構成を説明する。図３は、動作監視装置１０および撮影装置１２の機能的構成を示す機能ブロック図である。なお、図３には、データの入出力関係や接続関係を明確にするために、動作監視装置１０、撮影装置１２、およびサーバ装置１４を図示した。
【００２３】
まず、撮影装置１２について説明する。撮影装置１２は、撮影部１２Ａと、記憶部１２Ｂと、通信部１２Ｃと、を備える。撮影部１２Ａは、撮影によって撮影画像データ（以下、撮影画像と称する）を得る公知の撮像素子である。撮影部１２Ａは、時系列に沿った撮影によって得られた撮影画像を、順次、記憶部１２Ｂへ記憶する。
【００２４】
記憶部１２Ｂは、各種データを記憶する。本実施の形態では、記憶部１２Ｂは、撮影部１２Ａで撮影された撮影画像を記憶する。記憶部１２Ｂは、例えば、ＳＤカードなどのメモリカード、フラッシュメモリ等の半導体メモリ素子、ＵＳＢ（Ｕｎｉｖｅｒｓａｌ  Ｓｅｒｉａｌ  Ｂｕｓ）メモリなどである。
【００２５】
通信部１２Ｃは、動作監視装置１０と接続ケーブル１８を介して通信する。通信部１２Ｃと動作監視装置１０との通信規格は限定されない。例えば、通信部１２Ｃは、イーサネット（登録商標）規格に沿った接続ケーブル１８を介して、動作監視装置１０と有線により直接通信する。
【００２６】
本実施の形態では、通信部１２Ｃは、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）オフロードエンジン（以下、「ＴＯＥ」という）を搭載し、ＩＣＭＰ（Ｉｎｔｅｒｎｅｔ  Ｃｏｎｔｒｏｌ  Ｍｅｓｓａｇｅ  Ｐｒｏｔｏｃｏｌ）に沿った通信処理を行う場合を一例として説明する。
【００２７】
次に、動作監視装置１０について説明する。動作監視装置１０は、撮影装置１２を監視する。動作監視装置１０は、第１通信部２４と、電力供給部２６と、出力部２８と、記憶部３０と、制御部３２と、を備える。第１通信部２４、電力供給部２６、出力部２８、記憶部３０、および制御部３２は、バス４０を介してデータや信号を授受可能に接続されている。
【００２８】
第１通信部２４は、接続ケーブル１８を介して撮影装置１２と有線により直接通信する。本実施の形態では、第１通信部２４は、ＴＯＥを搭載し、制御部３２の制御により、ＩＣＭＰに沿った通信処理を行う。
【００２９】
電力供給部２６は、電力供給ケーブル１９を介して撮影装置１２へ電力を供給する。電力供給部２６は、制御部３２の制御により、撮影装置１２への電力供給と電力遮断とを切替える。なお、接続ケーブル１８と電力供給ケーブル１９を、１つのケーブルで構成してもよい。
【００３０】
出力部２８は、各種情報を出力する。出力部２８は、第２通信部２８Ａ、表示部２８Ｂ、およびスピーカ２８Ｃを含む。第２通信部２８Ａは、ネットワーク１６を介してサーバ装置１４と通信する。表示部２８Ｂは、各種情報を表示する。表示部２８Ｂは、公知の表示装置である。スピーカ２８Ｃは、各種情報を示す音を出力する。
【００３１】
なお、出力部２８は、少なくとも第２通信部２８Ａを備えた構成であればよく、表示部２８Ｂおよびスピーカ２８Ｃの少なくとも一方を備えない構成であってもよい。
【００３２】
記憶部３０は、各種データを記憶する。記憶部３０は、例えば、フラッシュメモリ等の半導体メモリ素子、ハードディスク、光ディスク、ＲＡＭ等である。なお、記憶部３０は、動作監視装置１０の外部に設けられた記憶装置であってもよい。また、記憶部３０は、１または複数の記憶媒体であってもよい。
【００３３】
次に、制御部３２について説明する。制御部３２は、動作監視装置１０を制御する。制御部３２は、通信制御部３２Ａと、再起動制御部３２Ｂと、出力制御部３２Ｃと、を含む。
【００３４】
通信制御部３２Ａ、再起動制御部３２Ｂ、および出力制御部３２Ｃは、例えば、１または複数のプロセッサにより実現される。例えば、これらの各部（通信制御部３２Ａ、再起動制御部３２Ｂ、および出力制御部３２Ｃ）は、ＣＰＵなどのプロセッサにプログラムを実行させること、すなわちソフトウェアにより実現してもよい。上記各部は、専用のＩＣ（Ｉｎｔｅｇｒａｔｅｄ  Ｃｉｒｃｕｉｔ）などのプロセッサ、すなわちハードウェアにより実現してもよい。上記各部は、ソフトウェアおよびハードウェアを併用して実現してもよい。複数のプロセッサを用いる場合、各プロセッサは、各部のうち１つを実現してもよいし、各部のうち２以上を実現してもよい。
【００３５】
通信制御部３２Ａは、有線接続された対象機器である撮影装置１２に対して、通信確認信号を送信する。詳細には、通信制御部３２Ａは、撮影装置１２へ通信確認信号を送信するように、第１通信部２４を制御する。
【００３６】
通信確認信号は、撮影装置１２と動作監視装置１０の通信確認のための信号である。通信確認信号には、撮影装置１２と動作監視装置１０との接続ケーブル１８を介した通信に用いる通信プロトコルで規定された信号を用いればよい。例えば、通信確認信号は、ｐｉｎｇコマンドで利用されるエコー要求であるが、これに限定されない。
【００３７】
第１通信部２４は、通信制御部３２Ａから通信確認信号の送信指示を受付けると、接続ケーブル１８を介して撮影装置１２へ通信確認信号を送信する。撮影装置１２が動作している場合や、撮影装置１２と動作監視装置１０が正常に接続されている場合、撮影装置１２の通信部１２Ｃから動作監視装置１０へ、通信確認信号に対する応答信号が送信される。第１通信部２４は、応答信号を受信すると、制御部３２へ出力する。
【００３８】
応答信号は、通信確認信号に対する応答信号であればよい。例えば、応答信号は、ｐｉｎｇコマンドで利用されるエコー応答である。
【００３９】
再起動制御部３２Ｂは、撮影装置１２に送信した通信確認信号に対する、撮影装置１２からの応答信号が異常を示す場合、撮影装置１２を再起動させる。
【００４０】
応答信号が異常を示すとは、通信確認信号の送信から所定時間以上、該通信確認信号に対する応答信号を未受信であることを示す。
【００４１】
すなわち、再起動制御部３２Ｂは、通信確認信号に対する応答信号を所定時間以上未受信である場合、応答信号が異常を示すと判断し、撮影装置１２を再起動させる。
【００４２】
なお、応答信号が、撮影装置１２で発生したエラー内容を示す情報を含む場合がある。応答信号にエラー内容を示す情報が含まれる場合、再起動制御部３２Ｂは、上記所定時間未満の間に応答信号を受信した場合でああっても、応答信号が異常であると判断してもよい。
【００４３】
再起動制御部３２Ｂは、応答信号が異常を示すと判断すると、電力供給部２６を制御することで、撮影装置１２を再起動させる。
【００４４】
具体的には、再起動制御部３２Ｂは、撮影装置１２への電極供給を遮断した後に、撮影装置１２への電力供給を再開する電力制御を行うように、電力供給部２６を制御する。この処理により、再起動制御部３２Ｂは、撮影装置１２を再起動させる。
【００４５】
出力制御部３２Ｃは、撮影装置１２の再起動の後の応答信号に関する応答結果情報を出力する。なお、再起動の後を、以下では、再起動後、と称して説明する場合がある。
【００４６】
詳細には、出力制御部３２Ｃは、再起動制御部３２Ｂによって撮影装置１２の再起動処理が行われた後に、該撮影装置１２へ通信確認信号を送信するように、通信制御部３２Ａへ送信依頼信号を通知する。送信依頼信号を受付けた通信制御部３２Ａは、上記と同様にして、通信確認信号を、第１通信部２４を介して撮影装置１２へ送信する。そして、出力制御部３２Ｃは、再起動後に撮影装置１２に送信された通信確認信号に対する応答信号に関する応答結果情報を、出力する。
【００４７】
出力制御部３２Ｃは、第１応答結果情報または第２応答結果情報を、応答結果情報として出力する。
【００４８】
第１応答結果情報は、撮影装置１２の再起動後の応答信号が異常であることを示す。第２応答結果情報は、撮影装置１２の再起動後の応答信号が正常であることを示す。
【００４９】
出力制御部３２Ｃは、撮影装置１２の再起動後の応答信号が異常を示すと判断した場合、第１応答結果情報を出力する。応答信号が異常を示すか否かの判断は、上記と同様に行えばよい。
【００５０】
一方、出力制御部３２Ｃは、撮影装置１２の再起動後の応答信号が異常を示さないと判断した場合、応答信号が正常であるとし、第２応答結果情報を出力する。応答信号が正常であるとは、通信確認信号の送信から所定時間以内に応答信号を受信した場合である。なお、出力制御部３２Ｃは、撮影装置１２の再起動後に受信した応答信号に、エラー内容を示す情報が含まれない場合、応答信号が正常であると判断してもよい。
【００５１】
なお、応答結果情報は、撮影装置１２の異常発生回数および異常内容を含んでいてもよい。この場合、出力制御部３２Ｃは、撮影装置１２の異常発生回数および異常内容を更に含む応答結果情報を、出力すればよい。
【００５２】
本実施の形態では、出力制御部３２Ｃは、応答結果情報を出力部２８へ出力する。
【００５３】
例えば、出力制御部３２Ｃは、応答結果情報を、出力部２８の第２通信部２８Ａへ出力する。第２通信部２８Ａは、出力制御部３２Ｃから受付けた応答結果情報を、ネットワーク１６を介してサーバ装置１４へ送信する。
【００５４】
応答結果情報を受信したサーバ装置１４は、受信した応答結果情報を管理する。例えば、サーバ装置１４は、受信した応答結果情報を、予め登録した装置へ送信する。予め登録した装置は、例えば、動作監視システム１の管理者の使用する端末装置などである。例えば、サーバ装置１４は、公知のメール機能などの通信機能を用いて、予め登録した装置へ、ネットワーク１６を介して応答結果情報を送信すればよい。また、サーバ装置１４は、受信した応答結果情報を、該応答結果情報の送信元の動作監視装置１０に有線接続された撮影装置１２の識別情報に対応付けて記憶してもよい。そして、サーバ装置１４は、所定タイミングごとに、記憶した応答結果情報を、予め登録した装置へ送信してもよい。所定タイミングは、予め設定した期間であってもよいし、新たな応答結果情報を受信したタイミングであってもよい。
【００５５】
また、例えば、出力制御部３２Ｃは、応答結果情報を出力部２８の表示部２８Ｂへ出力する。この場合、表示部２８Ｂは、応答結果情報を示す画像を表示する。
【００５６】
また、例えば、出力制御部３２Ｃは、応答結果情報を出力部２８のスピーカ２８Ｃへ出力する。この場合、スピーカ２８Ｃは、応答結果情報を示す音を出力する。
【００５７】
このように、出力制御部３２Ｃが応答結果情報を出力部２８へ出力することで、撮影装置１２の再起動後の応答信号に関する応答結果情報が、サーバ装置１４や表示部２８Ｂやスピーカ２８Ｃなどに出力される。このため、動作監視システム１の管理者などのユーザに対して、撮影装置１２の再起動後の応答信号に関する情報を容易に提供することができる。
【００５８】
次に、本実施の形態の動作監視装置１０が実行する動作監視処理の手順を説明する。図４は、本実施の形態の動作監視装置１０が実行する、動作監視処理の手順の一例を示す、フローチャートである。動作監視装置１０は、所定時間ごとに、図４に示す動作監視処理を繰返し実行する。
【００５９】
まず、通信制御部３２Ａが、有線接続された対象機器である撮影装置１２に対して、通信確認信号を送信する（ステップＳ１００）。
【００６０】
次に、再起動制御部３２Ｂが、ステップＳ１００の通信確認信号の送信から所定時間Ｔ内に撮影装置１２から応答信号を受信したか否かを判断する（ステップＳ１０２）。ステップＳ１０２で肯定判断すると（ステップＳ１０２：Ｙｅｓ）、本ルーチンを終了する。ステップＳ１０２で否定判断すると（ステップＳ１０２：Ｎｏ）、ステップＳ１０４へ進む。
【００６１】
ステップＳ１０４では、再起動制御部３２Ｂが、撮影装置１２を再起動させる（ステップＳ１０４）。
【００６２】
次に、通信制御部３２Ａが、撮影装置１２に対して通信確認信号を送信する（ステップＳ１０６）。
【００６３】
次に、出力制御部３２Ｃが、ステップＳ１０６の通信確認信号の送信から所定時間Ｔ内に撮影装置１２から応答信号を受信したか否かを判断する（ステップＳ１０８）。ステップＳ１０８で肯定判断すると（ステップＳ１０８：Ｙｅｓ）、ステップＳ１１０へ進む。ステップＳ１１０では、出力制御部３２Ｃが、撮影装置１２の再起動後の応答信号が正常であることを示す第２応答結果情報を、出力部２８へ出力する（ステップＳ１１０）。そして、本ルーチンを終了する。
【００６４】
一方、ステップＳ１０８で否定判断すると（ステップＳ１０８：Ｎｏ）、ステップＳ１１２へ進む。ステップＳ１１２では、出力制御部３２Ｃが、撮影装置１２の再起動後の応答信号が異常であることを示す第１応答結果情報を、出力部２８へ出力する（ステップＳ１１２）。そして、本ルーチンを終了する。
【００６５】
以上説明したように、本実施の形態の動作監視装置１０は、通信制御部３２Ａと、再起動制御部３２Ｂと、出力制御部３２Ｃと、を備える。通信制御部３２Ａは、有線接続された撮影装置１２（対象機器）に対して、通信確認信号を送信する。再起動制御部３２Ｂは、通信確認信号に対する撮影装置１２（対象機器）からの応答信号が異常を示す場合、撮影装置１２（対象機器）を再起動させる。出力制御部３２Ｃは、再起動後の応答信号に関する応答結果情報を出力する。
【００６６】
このように、本実施の形態の動作監視装置１０は、有線接続された撮影装置１２（対象機器）に送信した通信確認信号に対する応答信号が異常を示す場合、該撮影装置１２を再起動させ、再起動後の応答信号に関する応答結果情報を出力する。
【００６７】
このため、本実施の形態の動作監視装置１０では、再起動後の応答信号が異常であるか否かを示す応答結果情報を、容易に出力することができる。また、動作監視装置１０では、応答信号が異常を示す場合、撮影装置１２を再起動させ、再起動後の応答信号に関する応答結果情報を出力する。このため、撮影装置１２が再起動により復旧可能な状態である場合、故障処理のためにユーザが撮影装置１２を直接操作することなく、撮影装置１２を容易に復旧させることができる。そして、動作監視装置１０は、再起動後に送信した通信確認信号に対する応答信号が異常を示す場合、該応答信号に関する応答結果情報を出力するため、ユーザに対して、撮影装置１２が故障からの復旧を要する状態である情報を、容易に提供することができる。また、動作監視装置１０は、再起動後に送信した通信確認信号に対する応答信号が異常を示さない場合であっても、該応答信号に関する応答結果情報を出力するため、ユーザに対して、撮影装置１２が再起動後に応答信号を正常に返信可能な状態であることを容易に提供することができる。
【００６８】
従って、本実施の形態の動作監視装置１０は、撮影装置１２（対象機器）の故障に容易に対応可能な情報を提供することができる。
【００６９】
また、本実施の形態の動作監視装置１０は、再起動後の応答信号に関する応答結果情報を出力するため、撮影装置１２の動作状況に関する情報をリアルタイムに出力することができる。このため、本実施の形態の動作監視装置１０は、上記効果に加えて、撮影装置１２（対象機器）の故障に迅速に対応可能な情報を提供することができる。
【００７０】
また、本実施の形態の動作監視装置１０は、上記応答結果情報を出力するため、撮影装置１２（対象機器）の保守性の向上や、保守に伴うコスト低下を実現することができる。
【００７１】
また、本実施の形態の動作監視装置１０は、通信制御部３２Ａが、有線接続された撮影装置１２（対象機器）に対して通信確認信号を送信する。このため、上記効果に加えて、接続配線が煩雑になることを抑制することができる。
【００７２】
（変形例）
なお、上記実施の形態では、動作監視装置１０が、電力供給部２６を備えた構成である場合を一例として説明した。しかし、電力供給部２６は、動作監視装置１０とは別体として構成してもよい。この場合、動作監視システム２は、図５に示す構成とすればよい。
【００７３】
図５は、本変形例の動作監視システム２の一例を示す模式図である。動作監視システム２は、動作監視装置１１と、撮影装置１２と、サーバ装置１４と、電力供給部２６と、を備える。
【００７４】
撮影装置１２およびサーバ装置１４は、第１の実施の形態と同様である。
【００７５】
動作監視装置１１は、電力供給部２６を備えない構成である点以外は、第１の実施の形態の動作監視装置１０と同様である。すなわち、動作監視装置１１と、電力供給部２６と、は別体として構成されている。この場合、撮影装置１２と電力供給部２６とを電力供給ケーブル１９で接続し、動作監視装置１１と電力供給部２６とを接続ケーブル２７で接続すればよい。
【００７６】
このように、動作監視装置１１と、電力供給部２６と、を別体として構成してもよい。
【００７７】
なお、上述した実施の形態における、上記動作監視処理を実行するためのプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【００７８】
また、上述した実施の形態における、上記動作監視処理を実行するためのプログラムは、上記各機能部を含むモジュール構成となっており、実際のハードウェアとしては、例えば、ＣＰＵ（プロセッサ回路）がＲＯＭまたはＨＤＤから上記プログラムを読み出して実行することにより、上述した各機能部がＲＡＭ（主記憶）上にロードされ、上述した各機能部がＲＡＭ（主記憶）上に生成されるようになっている。なお、上述した各機能部の一部または全部を、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）などの専用のハードウェアを用いて実現することも可能である。
【００７９】
なお、上記には、実施の形態を説明したが、上記実施の形態は、例として提示したものであり、発明の範囲を限定することは意図していない。上記新規な実施の形態は、その他の様々な形態で実施されることが可能であり、発明の要旨を逸脱しない範囲で、種々の省略、置き換え、変更を行うことができる。上記実施の形態は、発明の範囲や要旨に含まれるとともに、請求の範囲に記載された発明とその均等の範囲に含まれる。
【符号の説明】
【００８０】
１，２  動作監視システム
１０，１１  動作監視装置
１２  撮影装置
１４  サーバ装置
２８  出力部
３２Ａ  通信制御部
３２Ｂ  再起動制御部
３２Ｃ  出力制御部
【図１】
2019230048.tif 000003
【図２】
2019230048.tif 000004
【図３】
2019230048.tif 000005
【図４】
2019230048.tif 000006
【図５】
2019230048.tif 000007
【国際調査報告】
2019230048.tif 000008
2019230048.tif 000009